(57)【要約】【課題】  一つの映像表示装置を通じて、ユーザ、即ち家族構成員が相違なる映像を視聴することができるようにし、更に、３Ｄ又はマルチビュー方式による視聴の際に、映像表示装置が自動的に判別して映像を処理する映像表示装置及び映像表示方法を提供する。【解決手段】  本発明は、映像表示装置及び映像表示方法に関し、本発明の実施形態に係る映像表示装置は、コンテンツが受信されると、コンテンツに含まれる付加情報に応じてコンテンツの種類を判断するコンテンツ処理部と、コンテンツが３Ｄコンテンツである場合、３Ｄディスプレイモードで動作し、コンテンツがマルチビューコンテンツである場合、マルチビューモードで動作する制御部と、制御部の動作モードに応じて、３Ｄディスプレイ又はマルチビューディスプレイを行うディスプレイ部とを含むことを特徴とする。【選択図】  図２
2013141218.tif 000002
【特許請求の範囲】
【請求項１】
コンテンツが受信されると、前記コンテンツに含まれる付加情報に応じて前記コンテンツの種類を判断するコンテンツ処理部と、
前記コンテンツが３Ｄコンテンツである場合、３Ｄディスプレイモードで動作し、前記コンテンツがマルチビューコンテンツである場合、マルチビューモードで動作する制御部と、
前記制御部の動作モードに応じて、３Ｄディスプレイ又はマルチビューディスプレイを行うディスプレイ部と
を具備することを特徴とする映像表示装置。
【請求項２】
前記コンテンツ処理部は、
互いに異なる経路からコンテンツを受信するための複数の受信部と、
前記複数の受信部の中から選択された受信部で前記コンテンツが受信されると、受信されたコンテンツを処理して前記付加情報を検出する検出部と、
前記検出された付加情報を用いて前記コンテンツが前記３Ｄコンテンツであるか、前記マルチビューコンテンツであるかを判断する判断部と
を含むことを特徴とする請求項１に記載の映像表示装置。
【請求項３】
前記コンテンツ処理部は、
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）部と、
ＲＦ信号を受信するためのＲＦ信号受信部と、
前記ＲＦ信号受信部で受信されたＲＦ信号を処理するＲＦ信号処理部と、
前記ＨＤＭＩ部又は前記ＲＦ信号処理部から出力される映像データをスケーリングするスケーラー部と、
前記制御部の動作モードに応じて前記スケーリングされた映像データを３Ｄフレーム又はマルチビューフレームで構成するフレーム処理部とを具備し、
前記コンテンツは、前記ＨＤＭＩ部又は前記ＲＦ信号受信部のうち、ユーザが選択した受信部を介して受信されるコンテンツであり、
前記ＨＤＭＩ部、前記ＲＦ信号処理部及び前記フレーム処理部のうち、少なくとも何れか一つは前記コンテンツの付加情報を検出して前記コンテンツの種類を判断することを特徴とする請求項１又は２に記載の映像表示装置。
【請求項４】
前記フレーム処理部は、
前記スケーリングされた映像データが前記３Ｄフレームである場合、左眼及び右眼映像を構成し、
前記スケーリングされた映像データが前記マルチビューフレームである場合、互いに異なるコンテンツの映像を構成することを特徴とする請求項３に記載の映像表示装置。
【請求項５】
前記ディスプレイ部は、
前記制御部が前記３Ｄディスプレイモードである場合、前記コンテンツ内に含まれた左眼映像及び右眼映像を交互に組み合わせて表示し、
前記制御部が前記マルチビューモードである場合、前記コンテンツに含まれた複数のサブコンテンツの映像フレームを交互に組み合わせて表示することを特徴とする請求項１ないし４の何れか一項に記載の映像表示装置。
【請求項６】
前記映像表示装置は、同期化信号を生成してユーザ用のメガネに伝送する同期信号生成部とを更に具備し、
前記制御部は、前記３Ｄディスプレイモードである場合には、左眼シャッターグラス及び右眼シャッターグラスを交互にオンさせる同期化信号を生成し、前記マルチビューモードである場合には、前記左眼シャッターグラス及び前記右眼シャッターグラスを同時にオン又はオフさせる同期化信号を生成するように前記同期信号生成部を制御することを特徴とする請求項１ないし５の何れか一項に記載の映像表示装置。
【請求項７】
前記コンテンツに含まれる付加情報は、前記コンテンツ内の任意の対象に対する付加情報を更に含み、
前記制御部は、前記マルチビューモードによる動作時に、ユーザ別の好みのキーワードが設定された場合、前記設定された好みのキーワードと互いに一致する付加情報があるかを判断し、前記マルチビューモードによる動作を行うことを特徴とする請求項１ないし６の何れか一項に記載の映像表示装置。
【請求項８】
コンテンツが受信されると、前記コンテンツに含まれる付加情報に応じて前記コンテンツの種類を判断するステップと、
前記コンテンツが３Ｄコンテンツである場合、３Ｄディスプレイモードで動作し、前記コンテンツがマルチビューコンテンツである場合、マルチビューモードで動作するように制御するステップと、
動作モードに応じて、３Ｄディスプレイ又はマルチビューディスプレイを行うステップと
を含むことを特徴とする映像表示方法。
【請求項９】
前記コンテンツの種類を判断するステップは、
互いに異なる経路からコンテンツを受信するステップと、
複数の受信部の中から選択された受信部で前記コンテンツが受信されると、受信されたコンテンツを処理して前記付加情報を検出するステップと、
前記検出された付加情報を用いて前記コンテンツが前記３Ｄコンテンツであるか、前記マルチビューコンテンツであるかを判断するステップと
を含むことを特徴とする請求項８に記載の映像表示方法。
【請求項１０】
前記コンテンツの種類を判断するステップは、
ＨＤＭＩ部からＨＤＭＩデータを受信するステップと、
ＲＦ信号処理部にＲＦ信号を受信するステップと、
受信されたＲＦ信号を処理するステップと、
前記ＨＤＭＩ部及び前記ＲＦ信号処理部から出力される映像データをスケーリングするステップと、
フレーム処理部は、制御部の動作モードに応じて前記スケーリングされた映像データを３Ｄフレーム又はマルチビューフレームで構成するステップとを含み、
前記コンテンツは、前記ＨＤＭＩ部及び前記ＲＦ信号受信部のうち、ユーザが選択した受信部を介して受信されるコンテンツであり、
前記ＨＤＭＩ部、前記ＲＦ信号処理部及び前記フレーム処理部のうち、少なくとも何れか一つは前記コンテンツの付加情報を検出して前記コンテンツの種類を判断することを特徴とする請求項８又は９に記載の映像表示方法。
【請求項１１】
前記スケーリングされた映像データを３Ｄフレーム又はマルチビューフレームで構成するステップは、
前記３Ｄフレームである場合、左眼及び右眼映像を構成し、
前記マルチビューフレームである場合、互いに異なるコンテンツの映像を構成することを特徴とする請求項１０に記載の映像表示方法。
【請求項１２】
前記ディスプレイを行うステップは、
前記制御部が前記３Ｄディスプレイモードである場合、前記コンテンツ内に含まれる左眼映像及び右眼映像を交互に組み合わせて表示し、
前記制御部が前記マルチビューモードである場合、前記コンテンツに含まれた複数のサブコンテンツの映像フレームを交互に組み合わせて表示することを特徴とする請求項８ないし１１の何れか一項に記載の映像表示方法。
【請求項１３】
前記映像表示方法は、ユーザ用のメガネに伝送するための同期化信号を生成するステップとを更に含み、
前記制御部は、前記３Ｄディスプレイモードである場合には、左眼シャッターグラス及び右眼シャッターグラスを交互にオンさせる同期化信号を生成し、前記マルチビューモードである場合には、前記左眼シャッターグラス及び前記右眼シャッターグラスを同時にオン又はオフさせる同期化信号を生成するように制御することを特徴とする請求項８ないし１２の何れか一項に記載の映像表示方法。
【発明の詳細な説明】
【技術分野】
【０００１】
本発明は、映像表示装置及び映像表示方法に関し、より詳細には、例えば、ユーザが一つの映像表示装置を介して３Ｄ又はマルチビュー（Ｍｕｌｔｉ  Ｖｉｅｗ）方式による視聴を望む場合、ユーザが別途に入力することなく、更に、マルチビュー方式による視聴の際に、ユーザの好みのキーワードに応じて映像表示装置から自動的に判別して映像を表示する映像表示装置及び映像表示方法に関する。
【背景技術】
【０００２】
個人の趣味や関心分野の多様化及び細分化により、ケーブルテレビや衛星放送等の多様な映像媒体が登場しつつあり、それにより、テレビの放送局の数も次第に増加すると同時に、各放送局は特定分野の放送のみを送出する専門放送体系を試みたりもしている。このような傾向は、家族構成員の間で各自が自分所望の放送を視聴できるような形態にまで発展しつつある。
【０００３】
これに関連し、従来では、複数の放送を同時に視聴するために画面を分割して視聴する方法がよく知られている。例えば、ＰＩＰ（Ｐｉｃｔｕｒｅ  ｉｎ  Ｐｉｃｔｕｒｅ）方法は、一つの主画面に一つ以上の副画面をモニタ上に表現する方式であり、ダブル画面方法は一つのモニタ上に二つの映像信号を均等に表現して上下又は左右に分割した画面を表現する。ここで、ダブル画面方法は、従来、互いに独立したモニタをダブルで使用していた方式を一つのモニタを通じて２つの画面を視聴できるように変更したものである。
【０００４】
しかし、従来のＰＩＰ方法は、家族構成員の各自が互いに異なる大きさの画面を通じて映像を視聴するため、副画面で視聴する構成員は多少の不便を強いられるだけでなく、主画面の映像により視聴の妨げになる場合もある。
【０００５】
一方、ダブル画面方法は、家族構成員の各自が互いに同じ大きさの画面を通じて映像を視聴することができるという長所があるが、映像表示装置の大きさがそれだけ大きくなるため、設置スペースに制約があるだけでなく、映像が表示されるスペースが互いに分離されていないため、自分所望の映像の視聴に集中することができなくなるという問題があった。
【先行技術文献】
【特許文献】
【０００６】
【特許文献１】韓国特開第２０１１−０１０５７７６号公報
【特許文献２】韓国登録第１０−０６６７８２３号
【特許文献３】韓国特開第２０１０−０１０５０６７号公報
【特許文献４】日本特開第２０１１−００６１３６０号公報
【発明の概要】
【発明が解決しようとする課題】
【０００７】
そこで、本発明は、上記問題に鑑みてなされたものであり、本発明の目的とするところは、一つの映像表示装置を通じて、ユーザ、即ち家族構成員が相違なる映像を視聴することができるようにし、更に、３Ｄ又はマルチビュー方式による視聴の際に、映像表示装置が自動的に判別して映像を処理する映像表示装置及び映像表示方法を提供することにある。
【０００８】
なお、本発明のもう一つの目的は、例えば、マルチビュー方式による視聴の際、ユーザが設定した好みのキーワードに応じて映像表示装置がそれを自動的に判別して映像を処理してくれる映像表示装置及び映像表示方法を提供することにある。
【課題を解決するための手段】
【０００９】
本発明の実施形態に係る映像表示装置は、コンテンツが受信されると、前記コンテンツに含まれる付加情報に応じて前記コンテンツの種類を判断するコンテンツ処理部と、前記コンテンツが３Ｄコンテンツである場合、３Ｄディスプレイモードで動作し、前記コンテンツがマルチビューコンテンツである場合、マルチビューモードで動作する制御部と、前記制御部の動作モードに応じて、３Ｄディスプレイ又はマルチビューディスプレイを行うディスプレイ部とを含むことを特徴とする。
【００１０】
前記コンテンツ処理部は、互いに異なる経路からコンテンツを受信するための複数の受信部と、前記複数の受信部の中から選択された受信部で前記コンテンツが受信されると、受信されたコンテンツを処理して前記付加情報を検出する検出部と、前記検出された付加情報を用いて前記コンテンツが前記３Ｄコンテンツであるか、前記マルチビューコンテンツであるかを判断する判断部とを含むことを特徴とする。
【００１１】
前記コンテンツ処理部は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）部と、ＲＦ信号を受信するためのＲＦ信号受信部と、前記ＲＦ信号受信部で受信されたＲＦ信号を処理するＲＦ信号処理部と、前記ＨＤＭＩ部又は前記ＲＦ信号処理部から出力される映像データをスケーリングするスケーラー部と、前記制御部の動作モードに応じて前記スケーリングされた映像データを３Ｄフレーム又はマルチビューフレームで構成するフレーム処理部とを含み、前記コンテンツは、前記ＨＤＭＩ部又は前記ＲＦ信号受信部のうち、ユーザが選択した受信部を介して受信されるコンテンツであり、前記ＨＤＭＩ部、前記ＲＦ信号処理部及び前記フレーム処理部のうち、少なくとも何れか一つは前記コンテンツの付加情報を検出して前記コンテンツの種類を判断することを特徴とする。
【００１２】
前記フレーム処理部は、前記スケーリングされた映像データが前記３Ｄフレームである場合、左眼及び右眼映像を構成し、前記スケーリングされた映像データが前記マルチビューフレームである場合、互いに異なるコンテンツの映像を構成することを特徴とする。
【００１３】
前記ディスプレイ部は、前記制御部が前記３Ｄディスプレイモードである場合、前記コンテンツ内に含まれた左眼映像及び右眼映像を交互に組み合わせて表示し、前記制御部が前記マルチビューモードである場合、前記コンテンツに含まれる複数のサブコンテンツの映像フレームを交互に組み合わせて表示することを特徴とする。
【００１４】
前記映像表示装置は、同期化信号を生成してユーザ用のメガネに伝送する同期信号生成部とを更に含み、前記制御部は、前記３Ｄディスプレイモードである場合には、左眼シャッターグラス及び右眼シャッターグラスを交互にオンさせる同期化信号を生成し、前記マルチビューモードである場合には、前記左眼シャッターグラス及び前記右眼シャッターグラスを同時にオン又はオフさせる同期化信号を生成するように前記同期信号生成部を制御することを特徴とする。
【００１５】
一方、前記コンテンツに含まれる付加情報は、前記コンテンツ内の任意の対象に対する付加情報を更に含み、前記制御部は、前記マルチビューモードによる動作時に、ユーザ別の好みのキーワードが設定された場合、前記設定された好みのキーワードと互いに一致する付加情報があるかを判断し、前記マルチビューモードによる動作を行うことを特徴とする。
【００１６】
なお、本発明の実施形態に係る映像表示方法は、コンテンツが受信されると、前記コンテンツに含まれる付加情報に応じて前記コンテンツの種類を判断するステップと、前記コンテンツが３Ｄコンテンツである場合、３Ｄディスプレイモードで動作し、前記コンテンツがマルチビューコンテンツである場合、マルチビューモードで動作するように制御するステップと、動作モードに応じて、３Ｄディスプレイ又はマルチビューディスプレイを行うステップとを含むことを特徴とする。
【００１７】
前記コンテンツの種類を判断するステップは、互いに異なる経路からコンテンツを受信するステップと、複数の受信部の中から選択された受信部で前記コンテンツが受信されると、受信されたコンテンツを処理して前記付加情報を検出するステップと、前記検出された付加情報を用いて前記コンテンツが前記３Ｄコンテンツであるか、前記マルチビューコンテンツであるかを判断するステップとを含むことを特徴とする。
【００１８】
前記コンテンツの種類を判断するステップは、ＨＤＭＩ部からＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）データを受信するステップと、ＲＦ信号処理部にＲＦ信号を受信するステップと、受信されたＲＦ信号を処理するステップと、前記ＨＤＭＩ部及び前記ＲＦ信号処理部から出力される映像データをスケーリングするステップと、フレーム処理部は、制御部の動作モードに応じて前記スケーリングされた映像データを３Ｄフレーム又はマルチビューフレームで構成するステップとを含み、前記コンテンツは、前記ＨＤＭＩ部及び前記ＲＦ信号受信部のうち、ユーザが選択した受信部を介して受信されるコンテンツであり、前記ＨＤＭＩ部、前記ＲＦ信号処理部及び前記フレーム処理部のうち、少なくとも何れか一つは前記コンテンツの付加情報を検出して前記コンテンツの種類を判断することを特徴とする。
【００１９】
前記スケーリングされた映像データを３Ｄフレーム又はマルチビューフレームで構成するステップは、前記３Ｄフレームである場合、左眼及び右眼映像を構成し、前記マルチビューフレームである場合、互いに異なるコンテンツの映像を構成することを特徴とする。
【００２０】
前記ディスプレイを行うステップは、前記制御部が前記３Ｄディスプレイモードである場合、前記コンテンツ内に含まれた左眼映像及び右眼映像を交互に組み合わせて表示し、前記制御部が前記マルチビューモードである場合、前記コンテンツに含まれた複数のサブコンテンツの映像フレームを交互に組み合わせて表示することを特徴とする。
【００２１】
前記映像表示方法は、ユーザ用のメガネに伝送するための同期化信号を生成するステップとを更に含み、前記制御部は、前記３Ｄディスプレイモードである場合には、左眼シャッターグラス及び右眼シャッターグラスを交互にオンさせる同期化信号を生成し、前記マルチビューモードである場合には、前記左眼シャッターグラス及び前記右眼シャッターグラスを同時にオン又はオフさせる同期化信号を生成するように制御することを特徴とする。
【００２２】
なお、本発明の別の実施形態に係る映像表示方法は、ユーザの好みのキーワードを映像表示装置に保存するステップと、前記好みのキーワードにマッチする付加情報が含まれるコンテンツを受信するステップと、前記好みのキーワードを前記付加情報と比較し、比較の結果に応じてユーザ別のマルチビュー動作を行って前記コンテンツを表示するステップとを含む。
【００２３】
ここで、前記ユーザの好みのキーワードを映像表示装置に保存するステップは、前記映像表示装置が前記コンテンツとして第１コンテンツ及び第２コンテンツを用いてマルチビュー動作実行の際、前記第１コンテンツ又は前記第２コンテンツ内の任意の対象に対するキーワードを保存することを特徴とする。
【００２４】
なお、前記ユーザ別のマルチビュー動作を行って前記コンテンツを表示するステップは、前記好みのキーワードに該当するコンテンツを表示する際、前記好みのキーワードのコンテンツが提供されることを知らせる同期化信号を提供するステップを含むことを特徴とする。
【発明の効果】
【００２５】
以上説明したように本発明によれば、ユーザからの要求がないとしても、マルチビュー又は３Ｄを自動的に判別して当該モードに設定した後、映像を表示することができるため、ユーザの便宜性を高めることができるようになる。
【図面の簡単な説明】
【００２６】
【図１】本発明の実施形態に係る映像処理システムを示す図である。
【図２】図１の映像表示装置の構造を示す図である。
【図３】図２のコンテンツ処理部の構造を例示する図である。
【図４】図２のコンテンツ処理部の別の構造を例示する図である。
【図５】本発明の一実施形態に係る映像表示方法を示すフローチャートである。
【図６】本発明の別の実施形態に係る映像表示方法を示すフローチャートである。
【図７】本発明の更に別の実施形態に係る映像表示方法を示すフローチャートである。
【発明を実施するための形態】
【００２７】
以下に添付図面を参照しながら、本発明の好適な実施形態について詳細に説明する。
【００２８】
図１は、本発明の実施形態に係る映像処理システムを示す図である。
【００２９】
図１に示すように、本発明の実施形態に係る映像処理システムは、ユーザ入力装置１００と、映像表示装置１１０と、ユーザ用のメガネ１２０＿１、１２０＿２の一部又は全部を含み、放送映像を提供するサーバ等の外部装置（図示せず）を更に含んでよい。
【００３０】
まず、ユーザ入力装置１００、更には、外部装置は、映像表示装置１１０に映像情報を伝送する役割を担う。このような映像情報の伝送時に、ユーザ入力装置１００は、映像表示装置１１０が受信した映像を通じて３Ｄ又はマルチビュー方式による視聴が可能か否かを判断することができるように、マルチビュー、３Ｄ情報等のデータパケットに付加情報を挿入して伝送することができる。ここで、マルチビューとは、デュアルビューを含むという意味である。
【００３１】
例えば、放送局等の外部装置は、入力された映像情報をエンコードする過程において、付加情報を挿入して伝送することができる。なお、ユーザ入力装置１００は、ＰＣやゲーム機およびＶＣＲ等のような装置として、映像表示装置１１０に接続時に、或いは、特定映像を伝送した時点でＰＣの画面に、又は映像表示装置１１０の表示画面に現れるＵＩ（Ｕｓｅｒ  Ｉｎｔｅｒｆａｃｅ）画面を通じて付加情報を確認し、メニュー選択を通じて付加情報を挿入して映像表示装置１１０に伝送することができる。
【００３２】
更に、本発明の実施形態により、外部装置及びユーザ入力装置１１０は、付加情報としてユーザ別の好みのキーワードに対する付加情報を更に含み伝送することもできる。例えば、一つの番組（或いは、コンテンツ）を構成する野球番組の場合、サムスンとＬＧとの試合に対するコンテンツを伝送すると仮定すると、映像毎にサムスン及びＬＧを報知するための付加情報も併せて伝送するようになる。このような付加情報は、例えば、ユーザが自分の映像表示装置１１０に好みのキーワードを設定した場合、好みのキーワードとマッチさせるために使われてよい。
【００３３】
無論、放送局等の外部装置及びユーザ入力装置１００からテレビに情報、即ち、付加情報を伝達するための方式は多様であってよい。例えば、単位フレームの左眼及び右眼映像を提供する韓国国内のＫＲ３Ｄを基準としてみると、例えば、＜表１＞のように、ＰＳＩ（Ｐｒｏｇｒａｍ  Ｓｔｅｒｅｏｓｃｏｐｉｃ  Ｉｎｆｏｒｍａｔｉｏｎ）にステレオスコピックプログラム情報記述子中の保存領域（ｒｅｓｅｒｖｅｄ）に１ビットを割り当てて伝送する方式が可能であってよい。
【００３４】
【表１】
2013141218.tif 000003
又は、以下のように、新たな記述子を更に生成して使用することも可能である。
【００３５】
Multiview_Info_descriptor(){
descriptor_tag  //8bit
descriptor_length  //8bit
multiview_service_type  //8bit
multiview_name  //253byte
}
このとき、例えば、サービスタイプは０：３Ｄ、１：Ｄｕａｌ  Ｖｉｅｗ、２：Ｔｒｉｐｌｅ  Ｖｉｅｗで区分されてよい。そして、ｎａｍｅには自動的にユーザ１、２、３の好むキーワードが挿入されると、ユーザ１、２、３は自動的に当該サービスタイプで映像を視聴することができるようになる。ここで、サービスタイプは、＜表２＞のように表現されてよい。
【００３６】
【表２】
2013141218.tif 000004
例えば、ユーザ１がテレビにキーワードを“サムスン”と入力しておいたとしよう。そして、放送局でｍｕｌｔｉｖｉｅｗ＿ｎａｍｅに“サムスン”を挿入して伝送すると、ユーザ１が手間をかけて、マルチビュー中に本人のサービスタイプを選択しなくてもよい。
【００３７】
しかし、このように、ユーザ別の好みのキーワードにマッチする付加情報を挿入して伝送する方式は、国家の放送規格に応じて多様に変更されかねないため、本発明の実施形態においては、上記のように韓国国内のＫＲ３Ｄ基準に限定することはない。
【００３８】
一方、ユーザ入力装置１００又は外部装置は、３Ｄ又はマルチビューの視聴ができるように映像フォーマットを形成して伝送することが望ましい。例えば、いずれの映像も映像フォーマット方式は類似していてよいが、３Ｄ映像の場合には、左眼映像と右眼映像をサイドバイサイド（Ｓｉｄｅ  ｂｙ  Ｓｉｄｅ）方式、トップボトム（Ｔｏｐ  Ｂｏｔｔｏｍ）方式等を用いて映像をフォーマット化するとしたら、マルチビューの視聴のためには、３Ｄ方式における左眼及び右眼映像の代わりに、互いに異なるコンテンツの映像をフォーマットすればいい。例えば、デュアルビュー視聴を提供するために、特定の放送局においては、特定の時間帯に放送される番組に対するコンテンツを互いに混合して提供することができる。
【００３９】
本発明の実施形態により、映像表示装置１１０は、デュアルビューの場合、外部から入力される異なる番組（或いは、コンテンツ）の映像、例えば、第１映像として自然ドキュメンタリ映像と、第２映像としてドラマ映像とを同時に、或いは、交互に提供することができる。ここで、映像を「同時に」提供するとは、単位フレームの一部は、自然ドキュメンタリ映像を提供し、残りの部分はドラマ映像を提供することを意味し、映像を「交互に」提供するとは、例えば、映像表示装置１１０が２４０Ｈｚで駆動する場合、１２０フレームは自然ドキュメンタリ映像を、残りの１２０フレームはドラマ映像を提供することを意味する。
【００４０】
このようにマルチビューで映像を実現するために、映像表示装置１１０は、シャッタ方式を利用することができる。このような場合には、映像表示装置１１０は、ユーザが着用するメガネとの同期化のために、同期信号を生成して伝送する同期信号生成部を含んでよい。それにより、第１映像と第２映像とが出力される際、各映像に同期される同期信号をユーザ用のメガネ１２０＿１、１２０＿２に伝送し、ユーザ用のメガネ１２０＿１、１２０＿２は当該同期信号に同期して開閉を繰り返すことにより、自分の望む映像を観ることができるようになる。それぞれのユーザ用のメガネ１２０＿１、１２０＿２は、マルチビューの場合、左眼及び右眼が同様の方式で動作するが、３Ｄの場合には、左眼及び右眼が異なるように動作してよい。
【００４１】
無論、本発明の実施形態に係る映像表示装置１１０は、シャッタ方式の他に偏光方式も可能である。別途の図に示してはいないが、そのために、映像表示装置１１０は表示パネルに付着された偏光部材を含んでよい。表示パネルは、第１及び第２映像を交互に出力すると、偏光部材は第１及び第２映像を互いに異なる偏光方式で映像を提供するのである。例えば、偏光部材を制御して第１映像を水平偏光させて出力したならば、第２映像の出力時には垂直偏光させて出力することができ、第１及び第２映像を左円偏光及び右円偏光方式等、互いに異なる多様な偏光方式で提供すればよい。
【００４２】
このような偏光方式は、偏光部材の動作によって多様に変更されてよい。言い換えると、第１映像が同時に出力される場合には領域別に変更方式を異なるようにして第１及び第２映像を出力することができるだけでなく、第１及び第２映像を奇数及び偶数番目ラインに混合して表示する際、それに対応するように奇数と偶数ライン別に異なる偏光方式で映像を出力させることができる。
【００４３】
更に、本発明の実施形態に係る映像表示装置１１０は、ユーザからの要求がある場合、マルチビュー或いは３Ｄ方式で映像を表示することができるが、ユーザからの要求がない場合であっても、自動的に３Ｄ又はマルチビューに切り替えて映像を表示することができる。言い換えると、映像表示装置１１０は、例えば、放送局やユーザ入力装置１００で映像情報を伝送する際、データパケットに付加情報としてマルチビュー又は３Ｄ映像であることを表示するための付加情報を挿入して伝送したり、二つの経路を通じて映像が同時に入力される際、マルチビューであることを自動的に判断し、入力された映像を画面に表示することができる。この場合、映像表示装置１１０の画面上には、３Ｄ或いはマルチビューで映像が表示されることを示してユーザが認識することができるようにする。なお、上述したように、特定の家族の視聴パターンの分析を通じて放送局から特定の時間帯にマルチビューによる視聴ができるように映像をフォーマット化して伝送すると、家族構成員は自分に該当するユーザ用のメガネ１２０＿１、１２０＿２を着用すればよいのである。
【００４４】
その他にも、多様な方式でマルチビュー又は３Ｄ映像であることを判断することができるが、例えば、放送局から伝送されたデータパケットを復号化して、その中に含まれる付加情報からマルチビュー或いは３Ｄ映像であるかを判断する方式以外に、入力された映像の特性或いは映像パターンを分析して当該情報を取得することもできるのである。それは、ＤＳＰ（Ｄｉｇｉｔａｌ  Ｓｉｇｎａｌ  Ｐｒｏｃｅｓｓｉｎｇ）方式としてよく知られており、マルチビュー又は３Ｄ映像情報の処理は、サイドバイサイド方式やトップボトム方式のフォーマットで伝送されるため、それを検出して３Ｄか、或いはマルチビューかを判断することもできる。本発明の実施形態では、如何なる方式で判断することに対しては特に限定しない。
【００４５】
更に、例えば、ユーザがマルチビューの視聴の際、自分の好みのキーワードを設定すると、映像表示装置１１０は入力されたマルチビュー視聴のための映像から好みのキーワードにマッチする映像をユーザ毎に提供することができる。言い換えると、放送局から野球番組としてサムスンとＬＧとに対する情報、例えば、サムスンのバッターに対する映像が伝送される際、好みのキーワードとしてサムスンを設定したユーザにはマルチビュー駆動時にサムスンに関連する映像のみを提供するようになるのである。このような過程において、映像表示装置１１０は、放送局から伝送するコンテンツに含まれる付加情報、より正確には、好みのキーワードにマッチする付加情報を映像表示装置１１０に保存された好みのキーワードと比較し、比較の結果に応じて当該動作を行うことができる。一致すると判断される場合、映像表示装置１１０は当該映像に同期化してユーザ用のメガネ１２０＿１、１２０＿２を駆動するための同期信号を生成して提供することができる。
【００４６】
ユーザ用のメガネ１２０＿１、１２０＿２は、本発明の実施形態により、シャッタメガネが望ましい。例えば、ユーザ用のメガネ１２０＿１が第１映像を受信する場合、第１映像が出力される際に提供される同期信号に同期化して動作し、ユーザ用のメガネ１２０＿２が第２映像を受信する場合、第２映像が映像表示装置１１０から出力される際に提供される同期信号に同期化して動作する。このとき、ユーザ用のメガネ１２０＿１、１２０＿２は、３Ｄ映像であれば、左眼及び右眼のシャッタが時間差を置いて互いにオン及びオフ動作し、マルチビュー動作である場合には、左眼及び右眼のシャッタが同じ方式で動作する。無論、ユーザ用のメガネ１２０＿１とユーザ用のメガネ１２０＿２は、時間差を置いて動作するのが望ましい。
【００４７】
なお、ユーザ用のメガネ１２０＿１、１２０＿２は、マルチビュー視聴時にユーザが入力した好みのキーワードに該当する映像提供の際、当該映像に同期化して動作することができる。言い換えると、ユーザ１及び２がマルチビュー視聴をする場合、ユーザ１とユーザ２は、同じ番組を視聴することができるが、好みのキーワードを設定したユーザは、ユーザ用のメガネ１２０＿１、１２０＿２を通じて任意に対象、例えば、上記の野球番組の場合、サムスンバッターやピッチャーの映像のみを選別して視聴することも可能である。
【００４８】
図２は、図１の映像表示装置の構造を示す図であり、図３は、図２のコンテンツ処理部の構造を例示する図である。
【００４９】
図２及び図３を図１とともに参照すると、本発明の実施形態に係る映像表示装置１１０は、コンテンツ処理部２００と、制御部２１０及びディスプレイ部２２０の一部又は全部を含んでよい。ここで、コンテンツ処理部２００は、制御部２１０とともに駆動部となってよい。
【００５０】
まず、コンテンツ処理部２００は、図３のように、受信部３００＿１、３００＿２、検出部３１０及び判断部３２０を含んでよい。受信部１（３００＿１）は、放送チャネルを通じて放送信号が受信される一方、受信部２（３００＿２）はカムコーダのようなユーザ情報入力経路を通じてＨＤＭＩ情報が受信されてよい。このとき、受信部３００＿１、３００＿２の経路は、ユーザからの要求に応じて設定されてよい。検出部３１０は、受信部３００＿１、３００＿２を介して受信された放送信号又はＨＤＭＩ情報から３Ｄ又はマルチビュー映像かに対する付加情報を検出する。このとき、検出部３１０は、放送信号の映像情報を復号化するステップにおいて付加情報を確認することができ、ＨＤＭＩ情報のパケット情報を参照して付加情報を確認することができるだけでなく、二つの経路を通じて入力された映像信号から相関図（Ｃｏｒｒｅｌａｔｉｏｎ）又は動きベクトル（Ｍｏｔｉｏｎ  ｖｅｃｔｏｒ）等を検出して付加情報を確認することもできる。判断部３２０は、検出部３１０から提供された付加情報から入力された映像が３Ｄ映像か、それとも、マルチビューのための映像かを判断し、判断の結果を制御部２１０に提供することができる。更に、マルチビューのための映像である場合、判断部３２０の任意のユーザの入力した好みのキーワードとマッチするかを更に判断して、判断の結果を制御部２１０に提供することができる。
【００５１】
制御部２１０は、映像表示装置の制御の全般を担う。例えば、コンテンツ処理部２００から提供された判断の結果に応じてディスプレイ部２２０を３Ｄモード又はマルチビューモードで動作させることができる。なお、制御部２１０は、ユーザが入力した好みのキーワードに応じて同期信号を提供してユーザがユーザ用のメガネ１２０＿１、１２０＿２を通じて自分の好みのキーワードに応じた映像を視聴することができるように動作させることができる。
【００５２】
その他の詳細な内容は、続けて図４を参照してより詳細に説明する。
【００５３】
図４は、図２のコンテンツ処理部の別の構造を例示する図である。
【００５４】
図４を図１及び図２とともに参照すると、本発明の実施形態に係るコンテンツ処理部４００、４１０は、ＲＦ信号受信部４００＿１と、ＨＤＭＩ部４００＿２と、ＲＦ信号処理部４１１と、スケーラー部４１３＿１、４１３＿２と、フレーム処理部４１５＿１、４１５＿２の一部又は全部を含んでよい。
【００５５】
本発明の実施形態により、受信部は、ＲＦ信号受信部４００＿１と称しており、更に、ＨＤＭＩ部４００＿２と称してよい。ＲＦ信号受信部４００＿１は、放送信号を受信するためのチューナやＤｅｍｕｘ、更には、復調器や同期化器及び等化器等を含んでよいが、ここで、チューナは、放送信号から特定方式の信号を同調化して出力する役割を担い、Ｄｅｍｕｘは音声及び映像を分離する役割を担う。なお、受信部は、ユーザの選択によるコンテンツを受信することができる。
【００５６】
なお、ＲＦ信号処理部４１１は、デコーダと称してよい。デコーダは、Ｄｅｍｕｘによって分離された音声及び映像パケット、より正確には、映像パケットを復号化する過程を行うようになる。言い換えると、受信部を介しては放送局等から映像情報がエンコードされて提供されているため、それを復元する過程を行うようになる。
【００５７】
スケーラー部４１３＿１、４１３＿２は、まず、ＲＦ端においては、デコーダで復号化されたビット情報を変換する過程、即ち、解像度の変換過程を行うことができ、ＨＤＭＩ端では、ＨＤＭＩ部４００＿２から提供されるデータのビット変換等の動作を行うことができる。
【００５８】
フレーム処理部４１５＿１、４１５＿２は、制御部２１０の動作モードに応じてスケーリングされた映像データを３Ｄフレーム又はマルチビューフレームで構成する役割を果たすようになる。言い換えると、３Ｄフレームである場合には、左眼及び右眼映像を処理してメモリに保存したり、マルチビューフレームである場合には、互いに異なるコンテンツの映像を処理してメモリに保存させることができる。
【００５９】
本発明の実施形態により、ＨＤＭＩ部４００＿２、ＲＦ信号処理部４１１及びフレーム処理部４１５＿１、４１５＿２は、付加情報を検出する検出部及び検出した付加情報から３Ｄ又はマルチビューであるかを判断する判断部を含んでよい、
ＨＤＭＩ部４００＿２は、パケット情報を参照してマルチビューかを判断することができ、ＲＦ信号処理部４１１はエンコードされて提供されるデータパケットを復号化する過程を行うため、パケットに含まれたＳＩ（Ｓｉｇｎａｌ  Ｉｎｄｅｘ）／Ｖｉｄｅｏ情報を付加情報として検出してマルチビューかを判断することができ、フレーム処理部４１５＿１、４１５＿２は、入力映像信号から相関図、動きベクトル等を検出し、マルチビューであるか、３Ｄであるかを判別することができる。本発明の実施形態により、フレーム処理部４１５＿１、４１５＿２は、ＨＤＭＩ部４００＿２又はＲＦ信号処理部４１１でマルチビューか、又は３Ｄであるか判断できない場合、判断し直す過程を行ってよい。しかし、本発明の実施形態においては、２回に渡って付加情報を確認することに特に限定はしない。
【００６０】
制御部２１０は、ユーザ用のメガネ１２０＿１、１２０＿２に伝送するための同期信号を生成して、３Ｄモードである場合、左眼シャッタグラス及び右眼シャッタグラスを交互にオンさせる同期化信号を生成して伝送し、マルチビューである場合には、左眼シャッタグラス及び右眼シャッタグラスを同時にオン又はオフさせる同期化信号を生成して伝送するようになる。更に、制御部２１０は、ユーザ別の好みのキーワードが設定された場合には、当該好みのキーワードにマッチする映像の提供とともに同期信号を生成して伝送するようになる。
【００６１】
なお、ディスプレイ部２２０は、３Ｄモードである場合、制御部２１０の制御に従ってコンテンツ内に含まれた左眼及び右眼映像を交互に組み合わせて表示し、マルチビューモードである場合、コンテンツに含まれた複数のサブコンテンツの映像フレームを交互に組み合わせて表示するようになる。
【００６２】
本発明の実施形態により、映像表示装置１１０は、ユーザからの要求がなくても、マルチビュー又は３Ｄを自動的に判別して当該モードを設定した後、映像を表示することができるため、ユーザの便宜性を増大させることができる。
【００６３】
図５は、本発明の一実施形態に係る映像表示方法を示す図である。
【００６４】
説明の便宜上、図５を図１及び図２とともに参照すると、本発明の実施形態に係る映像表示装置は受信されたコンテンツに含まれる付加情報に応じてコンテンツの種類を判断するようになる（Ｓ５０１）。例えば、ユーザからの要求に応じて放送チャネルを通じて受信されたコンテンツなら、受信されたコンテンツのデータパケットを復号化して付加情報を確認することで、コンテンツの種類を判断することができる。
【００６５】
次いで、映像表示装置の制御部２１０は、判断の結果に応じて３Ｄ又はマルチビューモードで動作するように制御する（Ｓ５３０）。ここで、制御するとは、３Ｄと判断されると、左眼及び右眼映像をメモリに保存しておいて、保存した映像を読み取る過程を意味したり、マルチビューの場合には、互いに異なるコンテンツをメモリに保存した後に読み取る過程を意味してよい。
【００６６】
その後、映像表示装置は、動作モードに応じてディスプレイ部２２０にコンテンツを表示するようになる（Ｓ５０５）。例えば、マルチビューであれば、互いに異なるコンテンツの単位フレームを交互に出力する。このとき、映像表示装置は、同期化信号を当該映像の出力時にユーザ用のメガネ１２０＿１、１２０＿２に伝送することができる。
【００６７】
その他の詳細な内容を引き続き図６を参照して具体的に説明する。
【００６８】
図６は、本発明の別の実施形態に係る映像表示方法を示すフローチャートである。
【００６９】
説明の便宜上、図６を図１、図２及び図４とともに参照すると、本発明の実施形態に係る映像表示装置１１０は装置を初期化し、経路を設定する過程を行うことができる（Ｓ６０１）。例えば、本発明の実施形態により、ＲＦ信号の受信経路とＨＤＭＩ情報を受信される経路を設定することができる。そのために、ユーザは映像表示装置１１０のディスプレイ部２２０にＵＩ画面を表示し、それにより、経路を設定することができる。
【００７０】
なお、映像表示装置１１０は、設定された経路から受信される映像がＲＦ信号であるか、ＨＤＭＩ情報であるかを判断する過程を行う（Ｓ６０３）。そのために、映像表示装置１１０の制御部２１０は、図４のＲＦ信号受信部４００＿１及びＨＤＭＩ部４００＿２に受信される信号があるかを確認することができる。
【００７１】
例えば、ＲＦ信号が受信されたと判断されると、映像表示装置１１０は受信されたデータパケットを復号化する過程において、付加情報を検出して確認することができる（Ｓ６０５）。当該付加情報から受信された映像データがデュアルビューか、より正確には、マルチビューかを判断するようになる。以下、デュアルビューとして説明を進める。
【００７２】
一方、ステップＳ６０３において、ＨＤＭＩ経路で情報が受信されたと判断されると、映像表示装置１１０は受信されたＨＤＭＩパケット情報を参照してデュアルビューであるか、３Ｄであるかを判別することができる（Ｓ６０７）。
【００７３】
上記のように、ステップＳ６０５及びＳ６０７において、デュアルビューであると判断されると、映像表示装置１１０は受信された互いに異なるコンテンツの映像をデュアルビュー方式で表示する（Ｓ６０９）。言い換えると、デュアルビューと判断されると、ユーザ１は映像１に左眼及び右眼に同一の映像が伝達されるようになり、ユーザ２に映像２が左眼及び右眼に同一の映像が伝達されるようになる。
【００７４】
更に、ステップＳ６０５及びＳ６０７において、デュアルビューでない場合、映像表示装置１１０は、３Ｄ映像又はデュアルビュー映像を構成する過程において、相関図及び動きベクトル等を検出してデュアルビューか、３Ｄ映像かを更に判断することができる（Ｓ６１１）。
【００７５】
判断の結果、デュアルビューと判断されると、映像表示装置１１０はステップＳ６０９と同様の方式で、映像を表示する（Ｓ６１３）。この過程において、例えば、３Ｄと判断されると、映像表示装置１１０はユーザ１のために映像１が左眼及び右眼に左眼映像及び右眼映像が互いに異なる時間に伝達されるようにし、ユーザ２のためには映像２が左眼及び右眼に左眼映像及び右眼映像が異なる時間に伝達されるようにする。
【００７６】
本発明の実施形態により、映像表示方法は、ユーザからの要求がなくても、マルチビュー又は３Ｄを自動的に判別して当該モードを設定した後、映像を表示することができるため、ユーザの便宜性を高めることができる。
【００７７】
図７は、本発明の更に別の実施形態に係る映像表示方法を示すフローチャートである。
【００７８】
説明の便宜上、図７を図１、図２及び図４とともに参照すると、本発明の実施形態に係る映像表示装置１１０は、ユーザ別の好みのキーワードを保存するようになる（Ｓ７０１）。このとき、ユーザ別の好みのキーワードの保存は、マルチビューの視聴時に設定可能であることが望ましい。なお、ここで、好みのキーワードとは、例えば、マルチビュー視聴時に同じ番組をユーザ１及び２が視聴すると仮定すると、同じ番組内においても、特定の対象、例えばサムスンとＬＧとの野球番組の場合、サムスンのバッター及びピッチャーのようにサムスン関連の映像だけを視聴することができるようにするための情報を意味してよい。
【００７９】
次いで、映像表示装置１１０は、ユーザの好みのキーワードにマッチする付加情報が挿入されたコンテンツを受信する（Ｓ７０３）。この過程において、例えば、放送局の外部装置や図１のユーザ入力装置１００は、好みのキーワードにマッチする付加情報を挿入して映像、即ちコンテンツを伝送することが望ましい。
【００８０】
その後、映像表示装置１１０は、好みのキーワードが設定されたと判断される際、より正確には、マルチビュー視聴であり、好みのキーワードが設定されたと判断されるとき、受信されたコンテンツの付加情報に好みのキーワードにマッチする情報があるかを判断し、互いに一致する際、ユーザ別のマルチビュー動作を行うようになる（Ｓ７０５）。言い換えると、好みのキーワードにマッチする映像がディスプレイされる際、それをユーザに知らせる同期信号を併せて生成して伝送するようになる。
【００８１】
これまで、本発明の実施形態に係る映像処理過程が図１の構成を含む映像表示装置において実施されることについて説明してきたが、その他の構成を含む映像表示装置及び映像を表示しないその他の装置においてもどのようにでも実行することができる。したがって、本発明の実施形態に係る映像表示装置の駆動方法又は表示方法は、上記の映像表示装置のみで実施されるものとして特に限定しない。
【００８２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または変形例に想到し得ることは明らかであり、これらについても、当然に本発明の技術的範囲に属するものと了解される。
【符号の説明】
【００８３】
１００  ユーザ入力装置
２００  コンテンツ処理部
２２０  ディスプレイ部
２１０  制御部
３００＿１  受信部１
３００＿２  受信部２
３１０  検出部
３２０  判断部
【図１】
2013141218.tif 000005
【図２】
2013141218.tif 000006
【図３】
2013141218.tif 000007
【図４】
2013141218.tif 000008
【図５】
2013141218.tif 000009
【図６】
2013141218.tif 000010
【図７】
2013141218.tif 000011